(57)【要約】【課題】  構造が簡単であり、認証動作を容易に行うことができるキースイッチを提供する。【解決手段】  キースイッチにおいて、スイッチ本体１に加速度センサ７を内蔵し、前記スイッチ本体１に形成された挿入孔３に対し、キー９を操作することにより、前記加速度センサ７に衝撃を付与し、この付与された衝撃を運動情報パターンとして前記加速度センサ７で検出し、認証動作を行う。【選択図】  図１
2011202451.tif 000002
【特許請求の範囲】
【請求項１】
スイッチ本体に加速度センサを内蔵し、前記スイッチ本体に形成された挿入孔に対してキーを操作することにより、前記加速度センサに弾性部材により衝撃を付与し、この付与された衝撃を運動情報パターンとして前記加速度センサで検出し、認証動作を行うことを特徴とするキースイッチ。
【請求項２】
請求項１記載のキースイッチにおいて、前記キーが円柱形状のキーからなり、該円柱形状のキーの側面に１乃至複数の凸部を設け、前記スイッチ本体の前記加速度センサの天面近傍に前記弾性部材としての弾性片を備え、前記挿入孔に対し前記円柱形状のキーを操作することにより、前記凸部で前記弾性片を弾いて前記加速度センサに衝撃を付与することを特徴とするキースイッチ。
【請求項３】
請求項２記載のキースイッチにおいて、前記凸部は前記スイッチ本体ごとにそれぞれ異なる配置で複数配設することを特徴とするキースイッチ。
【請求項４】
請求項２又は３記載のキースイッチにおいて、前記弾性片を複数設けたことを特徴とするキースイッチ。
【請求項５】
請求項１記載のキースイッチにおいて、前記円柱形状のキーの側面に１乃至複数の前記弾性部材を設け、前記挿入孔に対する前記円柱形状のキーの操作を行うことにより、前記弾性部材の弾発で前記加速度センサに衝撃を付与することを特徴とするキースイッチ。
【請求項６】
請求項５記載のキースイッチにおいて、前記弾性部材を前記円柱形状のキーの側面のそれぞれ異なる固有の位置に複数配設することを特徴とするキースイッチ。
【請求項７】
請求項５又は６記載のキースイッチにおいて、前記弾性部材としてコイルバネを介したスチールボールを備え、前記スイッチ本体の前記加速度センサの天面近傍に孔を形成し、前記円柱形状のキーの前記コイルバネによってバイアスがかけられた前記スチールボールが前記孔に嵌まる時、前記加速度センサに衝撃を付与することを特徴とするキースイッチ。
【請求項８】
請求項１から７の何れか一項記載のキースイッチにおいて、前記加速度センサを複数設けたことを特徴とするキースイッチ。
【請求項９】
請求項１から８の何れか一項記載のキースイッチにおいて、前記キーを挿入孔に対し、挿入、引き抜き又は回転を行うことにより、認証動作を行うことを特徴とするキースイッチ。
【請求項１０】
請求項１から８の何れか一項記載のキースイッチにおいて、前記キーを挿入孔に対し、挿入、回転及び引き抜きによる複合操作を行うことにより、認証動作を行うことを特徴とするキースイッチ。
【請求項１１】
請求項１から８の何れか一項記載のキースイッチにおいて、前記スイッチ本体にキースイッチの状態確認用報知装置を設けることを特徴とするキースイッチ。
【発明の詳細な説明】
【技術分野】
【０００１】
本発明は、スイッチ本体に加速度センサを内蔵し、キー又はスイッチ本体に設けられる弾性部材で加速度センサに衝撃を与え、この衝撃を運動情報パターンとして検出し、認証動作を行うキースイッチに関するものである。
【背景技術】
【０００２】
従来、固有情報を含んだ固有コードを有するキー（鍵）に対して、キーの固有コードをコード読取装置によって読み取り、メモリに記憶された情報と読み取った固有コードの情報を比較して、一致している場合にシリンダー錠の作動を許容し、一致していない場合にはロック機構により規制し、シリンダー錠の作動を禁止する構成とした開閉体施錠装置（下記特許文献１参照）や、第１のコーディングが第１の励磁装置の第１のインダクタンスの変化を生じさせ、第１のコーディングがキースイッチによって読み取られるキースイッチ（下記特許文献２参照）が既に提案されている。
【先行技術文献】
【特許文献】
【０００３】
【特許文献１】特開２００４−０１９４３０号公報
【特許文献２】特開２００９−２７０４３０号公報
【発明の概要】
【発明が解決しようとする課題】
【０００４】
しかしながら、上記特許文献１記載の開閉体施錠装置は、固有コードの認証によりシリンダー錠の作動を許容または禁止するもので、キーの操作によって認証を行うことができない。そのため、設置された各シリンダー錠に対して異なる形状を有するキーが必要となり、複数のキーを１つのシリンダー錠で共用化することができない。
また、上記特許文献２記載のキースイッチは、キーの構成が煩雑であり、検出が高度である。
【０００５】
本発明は、上記状況に鑑みて、構造が簡単であり、認証動作を容易に行うことができるキースイッチを提供することを目的とする。
【課題を解決するための手段】
【０００６】
本発明は、上記目的を達成するために、
〔１〕キースイッチにおいて、スイッチ本体に加速度センサを内蔵し、前記スイッチ本体に形成された挿入孔に対してキーを操作することにより、前記加速度センサに弾性部材により衝撃を付与し、この付与された衝撃を運動情報パターンとして前記加速度センサで検出し、認証動作を行うことを特徴とする。
【０００７】
〔２〕上記〔１〕記載のキースイッチにおいて、前記キーが円柱形状のキーからなり、この円柱形状のキーの側面に１乃至複数の凸部を設け、前記スイッチ本体の前記加速度センサの天面近傍に前記弾性部材としての弾性片を備え、前記挿入孔に対し前記円柱形状のキーを操作することにより、前記凸部で前記弾性片を弾いて前記加速度センサに衝撃を付与することを特徴とする。
【０００８】
〔３〕上記〔２〕記載のキースイッチにおいて、前記凸部は前記スイッチ本体ごとにそれぞれ異なる配置で複数配設することを特徴とする。
〔４〕上記〔２〕又は〔３〕記載のキースイッチにおいて、前記弾性片を複数設けたことを特徴とする。
〔５〕上記〔１〕記載のキースイッチにおいて、前記円柱形状のキーの側面に１乃至複数の前記弾性部材を設け、前記挿入孔に対する前記円柱形状のキーの操作を行うことにより、前記弾性部材の弾発で前記加速度センサに衝撃を付与することを特徴とする。
【０００９】
〔６〕上記〔５〕記載のキースイッチにおいて、前記弾性部材を前記円柱形状のキーの側面のそれぞれ異なる固有の位置に複数配設することを特徴とする。
〔７〕上記〔５〕又は〔６〕記載のキースイッチにおいて、前記弾性部材としてコイルバネを介したスチールボールを備え、前記スイッチ本体の前記加速度センサの天面近傍に孔を形成し、前記円柱形状のキーの前記コイルバネによってバイアスがかけられた前記スチールボールが前記孔に嵌まる時、前記加速度センサに衝撃を付与することを特徴とする。
【００１０】
〔８〕上記〔１〕から〔７〕の何れか一項記載のキースイッチにおいて、前記加速度センサを複数設けたことを特徴とする。
〔９〕上記〔１〕から〔８〕の何れか一項記載のキースイッチにおいて、前記キーを挿入孔に対し、挿入、引き抜き又は回転を行うことにより、認証動作を行うことを特徴とする。
【００１１】
〔１０〕上記〔１〕から〔８〕の何れか一項記載のキースイッチにおいて、前記キーを挿入孔に対し、挿入、回転及び引き抜きによる複合操作を行うことにより、認証動作を行うことを特徴とする。
〔１１〕上記〔１〕から〔８〕の何れか一項記載のキースイッチにおいて、前記スイッチ本体にキースイッチの状態確認用報知装置を設けることを特徴とする。
【発明の効果】
【００１２】
本発明によれば、スイッチ本体に内蔵された加速度センサに、キー操作によって衝撃を付与し、この衝撃を運動情報パターンとして検出し、認証動作を実施することができる。以下、詳細に説明するが、ここで、運動情報パターンとはキー操作によって加速度センサに付与される衝撃の羅列によって構成されるパターン（例えば、キーを右に１回転、１秒待機、右に２回転、１秒待機、右に３回転、といった操作をした時に加速度センサに与られた衝撃の羅列によるパターン）である。
【００１３】
本発明によれば、以下のような効果を奏することができる。
（１）構造が簡単で、検出が容易である。
（２）キー操作によって運動情報パターンを入力するため、一種類のキーで複数の運動情報パターンが入力することができ、スイッチ本体およびキーの共用化が可能である。
（３）キーの操作速度や操作回数などにより運動情報パターンを入力するので、セキュリティ性が向上する。
【００１４】
（４）キーの凸部（凹部）または弾性部材をキー固有の位置に配置することでセキュリティ性が向上する。
（５）キーの複数の操作の組み合わせによって運動情報パターンを入力することで、セキュリティ性が向上する。
（６）表示装置（ＬＥＤ）などの状態報知装置を設けることにより、キースイッチの動作状態及び認証されたかどうかを容易に確認することができる。
【図面の簡単な説明】
【００１５】
【図１】本発明の第１実施例を示すキースイッチの全体斜視図である。
【図２】本発明の第１実施例を示すキースイッチの縦方向断面図である。
【図３】本発明の第１実施例を示すキースイッチの正面図である。
【図４】本発明の第１実施例を示すキースイッチの運動情報パターンの検出機構を示す模式図である。
【図５】本発明の第１実施例を示すキースイッチの認証処理フローチャートである。
【図６】本発明の第２実施例を示すキースイッチのキーの斜視図である。
【図７】本発明の第２実施例の変形例を示すキースイッチのキーの斜視図である。
【図８】本発明の第３実施例の変形例を示すキースイッチのキーの斜視図である。
【図９】本発明の第３実施例の変形例を示すキースイッチのキーの斜視図である。
【図１０】本発明の第４実施例を示すキースイッチの弾性片を複数配設したスイッチ本体の縦方向断面図である。
【図１１】本発明の第４実施例を示すキースイッチのキーを示す斜視図である。
【図１２】本発明の第５実施例を示すキースイッチの加速度センサを複数配設したスイッチ本体の縦方向断面図である。
【図１３】本発明の第５実施例を示すキースイッチのキーを示す斜視図である。
【図１４】本発明の第６実施例を示すキースイッチの斜視図である。
【図１５】本発明の第６実施例を示すキースイッチの縦方向断面図である。
【図１６】本発明の第６実施例を示すキースイッチの横断方向の断面図である。
【図１７】本発明の第７実施例を示すキースイッチのキーを示す斜視図である。
【図１８】本発明の第７実施例の変形例を示すキースイッチのキーを示す斜視図である。
【図１９】本発明の第８実施例を示すキースイッチのキーを示す斜視図である。
【図２０】本発明の第８実施例の変形例を示すキースイッチのキーを示す斜視図である。
【図２１】本発明の第９実施例を示すキースイッチの縦方向の断面図である。
【図２２】本発明の第９実施例を示すキースイッチのキーを示す斜視図である。
【図２３】本発明の第１０実施例を示すキースイッチの斜視図である。
【発明を実施するための形態】
【００１６】
本発明のキースイッチは、スイッチ本体に加速度センサを内蔵し、前記スイッチ本体に形成された挿入孔に対し、キーを操作することにより、前記加速度センサに衝撃を付与し、この付与された衝撃を運動情報パターンとして前記加速度センサで検出し、認証動作を行う。
【実施例】
【００１７】
以下、本発明の実施の形態について詳細に説明する。
図１は本発明の第１実施例を示すキースイッチの全体斜視図、図２はそのキースイッチの縦方向断面図、図３はそのキースイッチの正面図である。
これらの図において、１はスイッチ本体、２はスイッチハウジング、３は挿入孔、４はスイッチ本体１の固定部（図示なし）へのスイッチ取付用ナット、５は端子、６はスイッチ本体内に配置されるプリント基板、７はプリント基板６に実装される加速度センサ、８は加速度センサ７に衝撃を付与する弾性部材としての弾性片（以下、単に弾性片という）、９は挿入孔３へ挿入される円柱形状のキー、９Ａは円柱形状のキー９の摘み部、９Ｂは円柱形状のキー９の側面に形成された凸部である。
【００１８】
本発明のキースイッチは、スイッチ本体１の挿入孔３に円柱形状のキー９を挿入して回転することにより、円柱形状のキー９の側面に形成された凸部９Ｂが弾性片８を弾いて、加速度センサ７に衝撃を与え、この衝撃を運動情報パターンとして検出して認証動作を行う。
なお、加速度センサ７として、例えば、ジルコン酸鉛、チタン酸バリウム、水晶などの圧電素子が加速度により加圧されたときに電荷を生ずる性質を利用した圧電式加速度センサなどを用いることができる。
【００１９】
図４は本発明の第１実施例を示すキースイッチの運動情報パターンの検出機構を示す模式図である。
円柱形状のキー９を挿入孔３に挿入して回転させると、図４（ａ）に示すように、円柱形状のキー９を円柱形状のキー９の側面に形成された凸部９Ｂが弾性片８を撓ませる。次いで、図４（ｂ）に示すように、円柱形状のキー９をさらに回転させると、凸部９Ｂが弾性片８から離脱して弾性片８を弾く。すると、弾かれた弾性片８は加速度センサ７に衝撃を与える。この衝撃が加速度センサ７で検出され、加速度センサ７からの出力信号として増幅部１０を介してマイクロコンピュータ１１に取り込まれる。このマイクロコンピュータ１１は、アナログ入力ポートとしてのデジタル変換部１２と、このデジタル変換部１２に接続され、そのデジタル変換部１２からのデジタル信号のデコードを行い、そのデコード信号が解錠するスイッチ本体１に記憶された認証情報と一致するかを照会するコード処理部１３と、このコード処理部１３に接続され、解錠信号を出力するインターフェース部１４とを備えている。マイクロコンピュータ１１に取り込まれた運動情報パターンの信号をコード処理部１３でデコードして予め記憶されている認証情報と照会し、デコード信号と認証情報が一致すればスイッチ本体１の解錠信号が出力される。
【００２０】
図５は本発明のキースイッチの認証処理フローチャートである。
（１）まず、このキースイッチシステムの初期設定として、スイッチ本体１に検出された運動情報パターンと照会を行うための認証情報を記憶させておく（ステップＳ１）。
（２）次に、円柱形状のキー９の挿入が検知されたか否かをチェックする（ステップＳ２）。円柱形状のキー９が検知されていなければ、その検知を待つ。
【００２１】
（３）円柱形状のキー９の挿入が検知された場合、円柱形状のキー９の操作から運動情報パターンの読み取りを行う（ステップＳ３）。
（４）上記ステップＳ３で読み取った円柱形状のキー９の運動情報パターンをデコードする（ステップＳ４）。
（５）次に、デコードされた信号が上記ステップＳ１で予め記憶されている認証情報と一致するか否かをチェックする（ステップＳ５）。
【００２２】
（６）ステップＳ５において、デコード信号と認証情報が一致すれば、解錠信号１５を出力する（ステップＳ６）。一方、一致しなければ、解錠信号１５を出力せず、エンドとする。
図６は本発明の第２実施例を示すキースイッチのキーの斜視図である。
この図において、２１は円柱形状のキー、２２は円柱形状のキー２１の摘み部、２３は円柱形状のキー２１の側面円周方向に等間隔で形成された複数の凸部である。この円柱形状のキー２１を図１〜図３に示すスイッチ本体１の挿入孔３に挿入して回転すると、複数の凸部２３が弾性片８を次々と弾くので、加速度センサ７にそれらの衝撃が付与される。この複数の凸部２３の配置に対応した衝撃が運動情報パターンとして検出され、認証動作が行われる。
【００２３】
図７は本発明の第２実施例の変形例を示すキースイッチのキーの斜視図である。
この実施例では、円柱形状のキー２１の側面円周方向の固有の位置に複数の凸部２４を形成する。したがって、加速度センサ７には、円柱形状のキー２１の固有の位置の複数の凸部２４の配置に対応した衝撃が運動情報パターンとして検出され、認証動作が行われる。
【００２４】
このように、複数の凸部２４を配置することで、スイッチ本体ごとにそれぞれ異なる運動情報パターンで認証を行うキースイッチとして構成することができるので、所定位置以外の位置に凸部を有するキーでは解錠することができず、セキュリティ性の向上を図ることができる。
また、凸部の配置だけでなく、凸部の高さを変えることにより加速度センサに付与する衝撃の大きさを変えて、さらに多様な運動情報パターンを構成することができる。
【００２５】
図８は本発明の第３実施例を示すキースイッチのキーの斜視図である。
この図において、３１は円柱形状のキー、３２は円柱形状のキー３１の摘み部、３３は円柱形状のキー３１の側面軸方向に等間隔で形成された複数の凸部である。この円柱形状のキー３１を図１〜図３に示すスイッチ本体１の挿入孔３に挿入すると、複数の凸部３３が弾性片８を弾き、加速度センサ７にその衝撃が付与される。この複数の凸部３３の配置に対応した衝撃が運動情報パターンとして検出され、認証動作が行われる。
【００２６】
図９は本発明の第３実施例の変形例を示すキースイッチのキーの斜視図である。
この実施例では、円柱形状のキー３１の側面軸方向の固有の位置に複数の凸部３４を形成する。したがって、加速度センサ７には、円柱形状のキー３１の固有の位置の複数凸部３４の配置に対応した衝撃が運動情報パターンとして検出され、認証動作が行われる。
図１０は本発明の第４実施例を示すキースイッチの弾性片を複数配設したスイッチ本体の縦方向断面図、図１１はそのキースイッチのキーを示す斜視図である。
【００２７】
これらの図において、４１はスイッチ本体１内に配置されるプリント基板、４２はプリント基板４１に実装される弾性片４３を複数配設した加速度センサ、４４は円柱形状のキー、４４Ａは円柱形状のキー４４の摘み部、４４Ｂは円柱形状のキー４４の側面に形成される複数の凸部である。
この実施例では、スイッチ本体１の挿入孔３に円柱形状のキー４４を挿入して回転させると、円柱形状のキー４４の側面に形成される複数の凸部４４Ｂで複数の弾性片４３がそれぞれ弾かれて、加速度センサ４２にそれらの衝撃が付与される。この凸部４４Ｂの配置に対応した衝撃が運動情報パターンとして検出され、認証動作が行われる。
【００２８】
図１２は本発明の第５実施例を示すキースイッチの加速度センサを複数配設したスイッチ本体の縦方向断面図、図１３はそのキースイッチのキーを示す斜視図である。
これらの図において、５１はスイッチ本体１内に配置されるプリント基板、５２はスイッチ本体１の挿入孔３に複数配置される加速度センサ、５３は複数の加速度センサそれぞれに衝撃を付与する弾性片、５４は円柱形状のキー、５４Ａは円柱形状のキー５４の摘み部、５４Ｂは円柱形状のキー５４の側面に形成される複数の凸部である。
【００２９】
この実施例によれば、スイッチ本体１の挿入孔３に円柱形状のキー５４を挿入して回転させると、円柱形状のキー５４の側面に形成される複数の凸部５４Ｂで弾性片５３がそれぞれ弾かれて、複数の加速度センサ５２それぞれに衝撃が付与される。この複数の凸部５４Ｂの配置に対応した衝撃が運動情報パターンとして検出され、認証動作が行われる。
上記のように円柱形状のキーをスイッチ本体に挿入し、円柱形状のキーの側面に設けられた凸部で弾性片を弾くことにより、この弾性片が加速度センサに衝撃を付与し、この付与された衝撃が運動情報パターンとして検出されることによって、キースイッチの解錠の認証動作を行う。
【００３０】
図１４は本発明の第６実施例を示すキースイッチの斜視図、図１５はそのキースイッチの縦方向断面図、図１６はそのキースイッチの横断方向の断面図である。
これらの図において、６１はスイッチ本体１に配置されるプリント基板、６２はプリント基板６１に実装される加速度センサ、６３は加速度センサ６２の天面近傍に形成された孔、６４は円柱形状のキー、６４Ａは円柱形状のキーの摘み部、６４Ｂは円柱形状のキー６４の側面に配置される、コイルバネ６４Ｃによってバイアスがかけられた弾性部材としてのスチールボール（以下、単にスチールボールという）である。
【００３１】
この実施例では、スイッチ本体１の挿入孔３に円柱形状のキー６４を挿入すると、円柱形状のキー６４が挿入孔３を進んでスチールボール６４Ｂが加速度センサ６２の天面近傍に形成された孔６３に嵌まる時、コイルバネ６４Ｃによってバイアスがかけられたスチールボール６６Ｂが加速度センサ６２に衝撃を付与する。その付与された衝撃が運動情報パターンとして検出され、認証動作が行われる。円柱形状のキー６４の挿入又は引き抜きにより、認証動作が行われる。更には、円柱形状のキー６４を回転することにより、加速度センサ６２に衝撃を加えるようにしてもよい。
【００３２】
図１７は本発明の第７実施例を示すキースイッチのキーを示す斜視図である。
この実施例によれば、円柱形状のキー７１の側面円周方向に等間隔で複数のスチールボール７３を配設するようにしている。なお、７２は円柱形状のキー７１の摘み部である。
図１８は本発明の第７実施例の変形例を示すキースイッチのキーを示す斜視図である。
この実施例によれば、円柱形状のキー７１の側面円周方向の固有の位置に複数のスチールボール７４を配設するようにしている。
【００３３】
これらの複数のスチールボール７３，７４が配置された円柱形状のキー７１をスイッチ本体１内に挿入し回転することによって、加速度センサに与えられた衝撃を運動情報パターンとして検出し、認証を行う。
図１９は本発明の第８実施例を示すキースイッチのキーを示す斜視図である。
この実施例によれば、円柱形状のキー８１の側面の軸方向に等間隔で複数のスチールボール８３を配設するようにしている。なお、８２は円柱形状のキー８１の摘み部である。
【００３４】
図２０は本発明の第８実施例の変形例を示すキースイッチのキーを示す斜視図である。
この実施例によれば、円柱形状のキー８１の側面軸方向の固有の位置に複数のスチールボール８４を配設するようにしている。
これらの実施例によれば、円柱形状のキー８１の挿入時又は引き抜き時に加速度センサに与えられた衝撃を運動情報パターンとして検出し、認証を行うことができる。また、円柱形状のキー８１の回転時にも認証を行うことができる。
【００３５】
図２１は本発明の第９実施例を示すキースイッチの縦方向の断面図、図２２はそのキースイッチのキーを示す斜視図である。
これらの図において、９１はスイッチ本体１に配置されるプリント基板、９２はプリント基板９１に実装される複数の加速度センサ、９３は複数の加速度センサ９２のそれぞれの天面近傍に形成された孔、９４は円柱形状のキー、９４Ａは円柱形状のキーの摘み部、９４Ｂは円柱形状のキー９４の側面に配置されるコイルバネ（図示なし）によってバイアスがかけられたスチールボールである。
【００３６】
この実施例では、スイッチ本体１の挿入孔３に円柱形状のキー９４を挿入すると、円柱形状のキー９４が挿入孔３を進んで、スチールボール９４Ｂが加速度センサ９２の天面近傍に形成された孔９３に嵌まる時、コイルバネによってバイアスがかけられたスチールボール９４Ｂが加速度センサ９２に衝撃を付与する。その付与された衝撃が運動情報パターンとして検出される。また、円柱形状のキー９４を回転させて、スチールボール９４Ｂが加速度センサ９２の天面近傍に形成された孔９３に嵌まる時にスチールボール９４Ｂによって加速度センサ９２に衝撃を付与することもできる。
【００３７】
上記のように円柱形状のキーをスイッチ本体に挿入し、円柱形状のキーに設けられたコイルバネによってバイアスがかけられたスチールボールが加速度センサの天面近傍に設けられた孔に嵌まる時に、スチールボールが加速度センサを叩くことにより衝撃を付与し、この付与された衝撃が運動情報パターンとして検出されることによって、キースイッチの解錠の認証動作を行う。
【００３８】
なお、操作部材としてスチールボールを用いた機構は、操作者がクリック感を認識することもでき、操作者の操作感が向上する。
また、スチールボールをキー固有の位置に配置し、スイッチ本体ごとにそれぞれ異なる運動情報パターンで認証を行うキースイッチとして構成することで、所定位置以外の位置にスチールボールを有するキーでは解錠することができず、セキュリティ性の向上を図ることができる。
【００３９】
さらに、スチールボールにバイアスをかけるコイルバネの強さを変えることにより、加速度センサに付与する衝撃の大きさを変えて、多様な運動情報パターンを構成することができる。
図２３は本発明の第１０実施例を示すキースイッチの斜視図である。
この図において、１０１はスイッチ本体の１の天面、１０２は天面１０１に配置された表示装置（例えば、発光素子）である。
【００４０】
この実施例では、スイッチ本体の１の天面１０１にキースイッチの状態確認用の表示装置（例えば、発光素子）１０２を設ける。この表示装置１０２は、スイッチハウジング２内に配置されるプリント基板に接続される、挿入孔３の開口部（図示なし）に設けられる機械的スイッチ（例えば、マイクロスイッチ）（図示なし）により、キースイッチのキーの挿入部３の通過を検出して、その検出信号によって点灯（例えば、赤色）される。この点灯と同時に、認証機構が駆動される。
【００４１】
また、表示装置１０２では、図４で示した解錠信号１５が検出されたら、その検出信号によって点灯色を、例えば赤色から緑色に変色させることにより、認証されたかどうかが確認しやすい利点がある。
なお、本発明は上記実施例に限定されるものではなく、本発明の趣旨に基づき種々の変形が可能であり、これらを本発明の範囲から排除するものではない。
【産業上の利用可能性】
【００４２】
本発明の認証機能付きキースイッチは、簡単な構成で、認証動作を容易に行うことができる認証機能付きキースイッチとして利用可能である。
【符号の説明】
【００４３】
１    スイッチ本体
２    スイッチハウジング
３    挿入孔
４    スイッチ取付用ナット
５    端子
６，４１，５１，６１，９１    プリント基板
７，４２，５２，６２，９２    加速度センサ
８，４３，５３    弾性部材（弾性片）
９，２１，３１，４４，５４，６４，７１，８１，９４    円柱形状のキー
９Ａ，２２，３２，４４Ａ，５４Ａ，６４Ａ，７２，８２，９４Ａ    円柱形状のキーの摘み部
９Ｂ，５６    凸部
１０    増幅部
１１    マイクロコンピュータ
１２    デジタル変換部
１３    コード処理部
１４    インターフェース部
２３，３３，４４Ｂ，５４Ｂ    複数の凸部
２４，３４    固有の位置に形成された複数の凸部
５２，９２    複数の加速度センサ
６３，９３    加速度センサの天面近傍に形成された孔
６４Ｂ    弾性部材（スチールボール）
６４Ｃ    コイルバネ
７３，８３，９４Ｂ    弾性部材（複数のスチールボール）
７４，，８４    固有の位置に形成された複数の弾性部材（複数のスチールボール）
１０１    スイッチ本体の天面
１０２    表示装置
【図１】
2011202451.tif 000003
【図２】
2011202451.tif 000004
【図３】
2011202451.tif 000005
【図４】
2011202451.tif 000006
【図５】
2011202451.tif 000007
【図６】
2011202451.tif 000008
【図７】
2011202451.tif 000009
【図８】
2011202451.tif 000010
【図９】
2011202451.tif 000011
【図１０】
2011202451.tif 000012
【図１１】
2011202451.tif 000013
【図１２】
2011202451.tif 000014
【図１３】
2011202451.tif 000015
【図１４】
2011202451.tif 000016
【図１５】
2011202451.tif 000017
【図１６】
2011202451.tif 000018
【図１７】
2011202451.tif 000019
【図１８】
2011202451.tif 000020
【図１９】
2011202451.tif 000021
【図２０】
2011202451.tif 000022
【図２１】
2011202451.tif 000023
【図２２】
2011202451.tif 000024
【図２３】
2011202451.tif 000025